(57)【要約】【課題】メッセージを印字できる包装用シール装置の提供。【解決手段】  包装用フィルムを挟んで加熱圧着することにより包装袋の圧着部を溶着する包装用シール装置において、前記圧着部を挟持するように当接される一対の圧着面部の一方の圧着面部に、活字装着手段を設けて、前記圧着部に所望のメッセージを表記させる構成とした。又、活字装着手段による印字領域を除く圧着部の両表面が凹凸状態となるよう一対の圧着面部を互いに相補形状の凹凸面とした構成とした。活字装着手段は、固定印字領域と日付印字領域とを備えた構成とした。又、日付印字領域は、数字活字と当該数字活字が嵌着される写植穴とする構成とした。又、日付印字領域は、年・月・日の各部がナンバリング構造である構成とした。【選択図】図３
2006168740.tif 000002
【特許請求の範囲】
【請求項１】
包装用フィルムを挟んで加熱圧着することにより包装袋の圧着部を溶着する包装用シール装置において、前記圧着部を挟持するように当接される一対の圧着面部の一方の圧着面部に、活字装着手段を設けて、前記圧着部に所望のメッセージを表記させることを特徴とする包装用シール装置。
【請求項２】
活字装着手段による印字領域を除く圧着部の両表面が凹凸状態となるよう一対の圧着面部を互いに相補形状の凹凸面としたことを特徴とする請求項1に記載の包装用シール装置。
【請求項３】
活字装着手段は、固定印字領域と日付印字領域を備えていることを特徴とする請求項1又は請求項２に記載の包装用シール装置。
【請求項４】
日付印字領域は、数字活字と当該数字活字が嵌着される写植穴とを備えていることを特徴とする請求項３に記載の包装用シール装置。
【請求項５】
日付印字領域は、年・月・日の各部がナンバリング構造であることを特徴とする請求項３に記載の包装用シール装置。
【請求項６】
印字は点字であることを特徴とする請求項1乃至請求項５に記載の包装用シール装置。
【発明の詳細な説明】
【技術分野】
【０００１】
本発明は、包装用フィルムを挟んで加熱圧着することにより包装袋の圧着部を溶着する包装用シール装置に関し、詳しくは、前記圧着部に当接される圧着面部に活字装着手段を設けて、圧着部を溶着すると同時に当該圧着部にメッセージを表記させる包装用シール装置に関する。
【背景技術】
【０００２】
従来の、この種の包装用シール装置は、当該装置の主目的である密閉（シール）のためだけに、所要の圧着部を溶着する機能のみを備えた構造であった。
他方、包装の表面には、製造年月日や賞味期限或いは製造元や販売元等、需要者にとって必要な種々の情報（以下、メッセージという）を表記せねばならず、このため、予め包装用フィルムにはこれらのメッセージが別の印刷手段を用いて印字されていた。
【発明の開示】
【発明が解決しようとする課題】
【０００３】
包装の表面に印字されるメッセージの中には、製造年月日や賞味期限等、製品の製造日即ち現実の封入日や当該製造日を基準として算出される日付のメッセージを記入しなければならない場合がある。
このようなメッセージを予め包装用フィルムに印刷しておくことは、当日の注文や需要見通しに応じて製造個数を決定しなければならない場合には全く融通が利かず、当日用の印刷された包装用フィルムが無い場合には、翌日用に用意されている包装フィルムを使うことは製造日を偽ることになるので、製造を中止するしか無く、ビジネスチャンスを逃がす、という不都合があった。
【０００４】
本発明は、上記不都合を解決すると共に、製造年月日や賞味期限等、需要者にとって重要なメッセージの製造者や販売者による恣意的改変を不可能とするメッセージが表記された包装を製造できる包装用シール装置の提供を目的とする。
【課題を解決するための手段】
【０００５】
請求項１の包装用シール装置の発明は、包装用フィルムを挟んで加熱圧着することにより圧着部を溶着する包装用シール装置において、前記圧着部を挟持するように当接される一対の圧着面部の一方の圧着面部に、活字装着手段を設けて、前記圧着部に所望のメッセージを表記させることを特徴とする。
【０００６】
請求項２の発明は、請求項1に記載の包装用シール装置において、活字装着手段による印字領域を除く圧着部の両表面が凹凸状態となるよう一対の圧着面部を互いに相補形状の凹凸面としたことを特徴とする。
【０００７】
請求項３の発明は、請求項1又は請求項２に記載の包装用シール装置において、活字装着手段は、固定印字領域と日付印字領域を備えていることを特徴とする。
【０００８】
請求項４の発明は、請求項３に記載の包装用シール装置において、日付印字領域は数字活字と当該数字活字が嵌着される写植穴とを備えていることを特徴とする。
【０００９】
請求項５の発明は、請求項３に記載の包装用シール装置において、日付印字領域は、年・月・日の各部がナンバリング構造であることを特徴とする。
【００１０】
請求項６の発明は印字が点字であることを特徴とする。
【発明の効果】
【００１１】
本発明によれば、製造年月日や賞味期限等、製品の製造日即ち現実の封入日や当該製造日を基準として算出される日付等のメッセージを記入しなければならない場合において、正に実際に封入（シール）される際の包装の封入圧着部分にメッセージが印字（印刷）されるので、予めこのようなメッセージを印刷しておくことによる前記のような不都合を解消することができる。
【００１２】
又、一旦印字されたメッセージの訂正や改正が不可能となるため、当業者のみならず需要者において、当該製品の包装に印刷されたメッセージの信頼性を高めることができる。
更に又、前記のような所要のメッセージを印刷するために、別途の印刷手段を必要とせず、包装用シール装置をもって兼用することができる。
【発明を実施するための最良の形態】
【００１３】
包装用フィルムを挟んで加熱圧着することにより包装袋の圧着部を溶着する包装用シール装置の、前記圧着部を挟持するように当接される一対の圧着面部の一方の圧着面部に、活字装着手段を設けて、前記圧着部に所望のメッセージを表記させる構成とした。
【実施例１】
【００１４】
実施例１を図１乃至図２に基づいて説明する。図１は包装用フィルムを挟んで加熱圧着することにより包装袋の圧着部を溶着する包装用シール装置の要部分解斜視図である。図２は図１の符号１に示す円盤状部材の拡大斜視図である。
【００１５】
図１及び図２において、符号１は一対の円盤状の圧着部の一方の圧着部であり、この円盤状の圧着部１は、図示されていない他方の円盤状の圧着部（１）と互いの圧着面部としての円盤状外周面２（２）の一部が圧接されるように回転軸３（３）が平行となるように併設されている。
【００１６】
チューブ状の包装用紙（図示せず）は、食品が適宜詰められた状態にて連続的に両圧着部１（１）間を通過していく途中で、例えば、詰められた食品の間毎に当該チューブ状包装用紙を両側から圧着面部２（２）が加熱圧着することによって、チューブが切断されると共に当該食品が詰められた袋毎に分断された封入袋（包装）となる。以下、加熱圧着される部分を「圧着部」ともいう。
【００１７】
この実施例に示す一対の圧着部１（１）の圧着面部（円盤外周面）２（２）には比較的細かな凹凸が形成される互いの圧着面部２（２）に形成される凹凸は、互いに噛み合う相補形状となっている。こうして、包装用紙の圧着部を挟持するように当接される一対の圧着面部２（２）の一方の圧着面部２に、活字装着手段４を設ける。
このように、活字装着手段４による印字領域、この例では、「賞味期限及び西暦日付」を除く圧着部の両表面を凹凸状態となるよう一対の圧着面部を互いに相補形状の凹凸面に形成することによって、一旦封入した後の日付の訂正や変更を不可能ならしめている。
【００１８】
図２に示す活字装着手段４は、圧着面部２に活字用の写植穴を設けて所要の活字が嵌着される構造としてある。図示のメッセージの例としては、「賞味期限」４１とその期限日の日付４２とが西暦にて印刷できるようにしてある。勿論、メッセージの内容はこれに限定されない。こうして、包装用紙の圧着部に所望のメッセージが表記（印刷）される。
【００１９】
表示内容が固定的な固定印字領域４１、例えば「賞味期限」等の表示項目は必ずしも活字である必要はなく、圧着部１（１）製造の際に一体的に形成しておいてもよい。
しかし、可変的な可変印字領域４２としての日付印字領域、例えば日付等、中でも「日」については毎日、「月」は毎月、「年」は年毎に数字活字を変えることになるが、この場合には、その都度、各々の写植穴に該当数次活字を差し替えることになる。
【実施例２】
【００２０】
図３に示す実施例２は、上記実施例１における日付印字領域４２を年・月・日の各部が回転可能なナンバリング構造とした例である。
このように、可変的な可変印字領域としての日付印字領域をナンバリング構造５とすることによって、実施例１の活字の写植方式に較べて極めて簡単に日付変更を行うことができる。
【実施例３】
【００２１】
図４に示す実施例３は、上記実施例１における圧着部１が円盤状でなく、平板状の圧着部１０（１０）の例を示したもので、一対の圧着部１０（１０）が直線的に互いに接離する構成とされている。図中の符号４１，４２及びその他の構成は実質的に上記実施例１と同様である。
【実施例４】
【００２２】
図示されていない実施例４は、上記実施例１乃至３の印字が通常一般の文字活字或いは数字活字を用いているのに変えて、点字活字を用いて、所用のメッセージを点字で表示する例である。
勿論、この点字活字は一般の文字活字或いは数字活字と併設しても良い。
【産業上の利用可能性】
【００２３】
本発明は、食品だけでなく、広く包装用フィルムのシール装置に用いることができる。
【図面の簡単な説明】
【００２４】
【図１】実施例１の包装用シール装置の要部分解斜視図である。
【図２】実施例１の円盤状部材の拡大斜視図である。
【図３】実施例２の円盤状部材の拡大斜視図である。
【図４】実施例３の平板状部材の拡大斜視図である。
【符号の説明】
【００２５】
１  圧着部（円盤状）  
２  圧着面部  
３  回転軸  
４  活字装着手段
５  ナンバリング構造
４１  固定的印字領域
４２  可変的印字領域
【図１】
2006168740.tif 000003
【図２】
2006168740.tif 000004
【図３】
2006168740.tif 000005
【図４】
2006168740.tif 000006